(57)【要約】【課題】再起動までの起動可能時間を明示できるようにしたプロジェクターを提供する。【解決手段】画像を投射するための光源としてランプ２０を少なくとも備えたプロジェクター１０において、ランプ２０の温度を検出するランプ用温度センサ２３と、外気の温度を検出する外気用温度センサ２４と、再起動までの起動可能時間を表示する表示パネル２５と、ランプ用温度センサ２３の出力及び外気用温度センサ２４の出力に基づいてランプ２０の温度が所定の温度に低下するまでの時間を起動可能時間として求めて表示パネル２５に表示させるＣＰＵ１１とを備えたものである。【選択図】図１
2007264257.tif 000002
【特許請求の範囲】
【請求項１】
画像を投射するための光源としてランプを少なくとも備えたプロジェクターにおいて、
前記ランプの温度を検出する第１の温度検出手段と、
外気の温度を検出する第２の温度検出手段と、
再起動までの起動可能時間を表示する表示手段と、
前記第１の温度検出手段の出力及び前記第２の温度検出手段の出力に基づいて前記ランプの温度が所定の温度に低下するまでの時間を起動可能時間として求めて前記表示手段に表示させる演算手段と
を備えたことを特徴とするプロジェクター。
【請求項２】
前記ランプを点灯又は消灯させるための電源スイッチを備え、
前記演算手段は、前記電源スイッチによって前記ランプが点灯した時に、前記第１の温度検出手段の出力及び前記第２の温度検出手段の出力に基づいて前記ランプの温度が所定の温度に低下するまでの時間を起動可能時間として求め、前記起動可能時間を前記表示手段に表示させた後に、時間の経過に従って前記起動可能時間を減少させてそれを前記表示手段に表示させることを特徴とする請求項１記載のプロジェクター。
【請求項３】
前記ランプの温度及び外気の温度と、前記ランプの温度が所定の温度に低下するまでの時間との関係がテーブル化されて記憶された記憶手段を備え、
前記演算手段は、前記記憶手段のテーブルを参照して前記ランプの温度が所定の温度に低下するまでの時間を求める
ことを特徴とする請求項１又は２記載のプロジェクター。
【請求項４】
前記ランプを冷却する冷却装置を備え、
前記演算手段は、前記冷却装置の冷却能力を考慮して前記起動可能時間を求めることを特徴とする請求項１〜３の何れかに記載のプロジェクター。
【請求項５】
前記演算手段は、前記ランプの状態として点灯状態、待機状態及び点灯可能状態を前記表示手段に表示し、前記待機状態において前記起動可能時間を表示させることを特徴とする請求項１〜４の何れかに記載のプロジェクター。
【請求項６】
点灯フラグが格納された記憶手段を備え、
前記演算手段は、
起動可能時間がゼロになると前記点灯フラグをセットし、前記点灯フラグがセットされた状態で前記電源スイッチが投入されると、前記ランプを点灯させることを特徴とする請求項２〜５の何れかに記載のプロジェクター。
【発明の詳細な説明】
【技術分野】
【０００１】
本発明は、プロジェクターに関し、特にその再起動時の起動可能時間に関する。
【背景技術】
【０００２】
従来、プロジェクターに用いられる空間放電タイプのランプ（例えば超高圧水銀ランプ）においては、電源を切った後に電源を再度入れてもランプが点灯できないことがある。これはこの種のランプでは、ランプ内の気圧が一定気圧以下にならなければ絶縁破壊を起こすという理由からである。このランプ内の気圧はランプ内の温度に比例しており、したがって、電圧を印加する時点でのランプの温度が所定の温度（再点灯可能温度）以下でないと、ランプを点灯することができない。このため、ランプの消灯後は、ランプが再点灯可能温度に冷却されるまでは再点灯することができない。しかしながら、プロジェクターの再起動が直ぐにできないことが分からず、使用者が何度も電源スイッチを繰り返して押してしまったり、現在の状況が分からず困惑してしまうということがあった。このようなことを解決するために、現在はランプの温度が再点灯可能温度まで下がるだろうと予測される時間まで電源が入らないようにするという方法が採用されている。しかし、実際には使用条件によりもっと短い時間で再起動が可能であるにも拘わらず一定時間待たなければならないことや、ランプが点灯しないことで壊れていると思ってしまうようなことが問題点としてあった。
【０００３】
このようなことから、例えば「映像信号に基づき照明光を空間変調して投影用の光学画像を形成する表示手段と、ランプと反射傘からなり前記照明光を生成する照明手段と、前記光学画像を投影画面上に投影する投影光学系とを有するプロジェクタにおいて、前記照明手段周辺の空気を冷却する冷却手段と、大気温度を検出する検出手段と、前記検出手段の検出結果に応じて前記冷却手段による冷却の度合いを制御する制御手段とを有する…」ものが提案されている（例えば特許文献１参照）。
【特許文献１】特開２０００−１３１７６３号公報（要約）
【発明の開示】
【発明が解決しようとする課題】
【０００４】
しかしながら、上記の特許文献１のプロジェクターにおいても再起動の起動可能時間を把握することができず、このため、それまでのものと同様に、起動可能時間が経過する前に電源スイッチを押してしまったり、或いはランプが点灯しないことで機器が壊れてしまっていると思ってしまうようなことがあった。
【０００５】
本発明は、このような問題点を解決するためになされたものであり、再起動までの起動可能時間を明示できるようにしたプロジェクターを提供することを目的とする。
【課題を解決するための手段】
【０００６】
本発明に係るプロジェクターは、画像を投射するための光源としてランプを少なくとも備えたプロジェクターにおいて、前記ランプの温度を検出する第１の温度検出手段と、外気の温度を検出する第２の温度検出手段と、再起動までの起動可能時間を表示する表示手段と、前記第１の温度検出手段の出力及び前記第２の温度検出手段の出力に基づいて前記ランプの温度が所定の温度に低下するまでの時間を起動可能時間として求めて前記表示手段に表示させる演算手段とを備えたものである。なお、本発明において、外気の温度とは、プロジェクター本体の外側の温度をいうものとする。本発明においては、再起動までの起動可能時間が表示手段により明示され、このため、起動可能時間が経過する前に電源スイッチを押してしまったり、或いはランプが点灯しないことで機器が壊れてしまっていると思ってしまうような事態が避けられ、使い勝手の良いものとなっている。
【０００７】
本発明に係るプロジェクターは、前記ランプを点灯又は消灯させるための電源スイッチを備え、前記演算手段は、前記電源スイッチによって前記ランプが消灯した時に、前記第１の温度検出手段の出力及び前記第２の温度検出手段の出力に基づいて前記ランプの温度が所定の温度に低下するまでの時間を起動可能時間として求め、前記起動可能時間を前記表示手段に表示させた後に、時間の経過に従って前記起動可能時間を減少させてそれを前記表示手段に表示させる。本発明においては、ランプ消灯の起動可能時間を時間の経過に従って減少させてそれを前記表示手段に表示させるようにしており、このため、消灯した後の時点でも時々刻々起動可能時間を正確に把握することができる。
【０００８】
本発明に係るプロジェクターは、前記ランプの温度及び外気の温度と、前記ランプの温度が所定の温度に低下するまでの時間との関係がテーブル化されて記憶された記憶手段を備え、前記演算手段は、前記記憶手段のテーブルを参照して前記ランプの温度が所定の温度に低下するまでの時間を求めるものである。本発明においては、テーブルを利用して起動可能時間を求めるようにしており、このため、演算手段による演算処理が簡単なものとなっている。
【０００９】
本発明に係るプロジェクターは、前記ランプを冷却する冷却装置を備え、前記演算手段は、前記冷却装置の冷却能力を考慮して前記起動可能時間を求める。本発明においては、冷却装置がランプを冷却するのでランプの冷却効率が良く、それによってランプの温度が所定の温度に下がるまでの時間が短くなるが、演算手段がその点を考慮して起動可能時間を求めるので、表示手段に表示される起動可能時間が実際の待機時間に対応したものとなる。
【００１０】
本発明に係るプロジェクターにおいて、前記演算手段は、前記ランプの状態として点灯状態、待機状態及び点灯可能状態を前記表示手段に表示し、前記待機状態において前記起動可能時間を表示させる。本発明においては、前記表示手段にランプの状態（ランプステータス）が表示されるので、使用者にとって使い勝手の良いものとなっている。
【００１１】
本発明に係るプロジェクターは、点灯フラグが格納された記憶手段を備え、前記演算手段は、前記起動可能時間がゼロになると前記点灯フラグをセットし、前記点灯フラグがセットされた状態で前記電源スイッチが投入されると、前記ランプを点灯させる。本発明においては、起動可能時間がゼロになって点灯フラグがセットされた状態で電源スイッチが投入されると、ランプを点灯させるための処理が行われることになり、起動可能時間の表示とランプの点灯のための処理とが連動しており、使い勝手のよいものとなっている。
【発明を実施するための最良の形態】
【００１２】
実施形態１．
図１は本発明の実施形態１に係るプロジェクターの構成を示したブロック図である。このプロジェクター１０は、ＣＰＵ１１、ＲＯＭ１２、ＡＤＣ（アナログ・デジタルコンバータ）１３、画像処理回路１４、メモリ１５、ＬＣＤ駆動回路１６及びＬＣＤパネル１７、電源部１８、バラスト１９、ランプ２０及び冷却装置２１を備えている。プロジェクター１０は、更に、Ｉ／Ｏボタン２２、ランプ用温度センサ２３、外気用温度センサ２４及び表示パネル２５を備えている。Ｉ／Ｏボタン２２には電源スイッチを含めて各種の操作スイッチが設けられている。ランプ用温度センサ２３は、ランプ２０の例えば反射板（図示せず）に取付けられ、ランプ２０の温度を検出してＣＰＵ１１に出力する。外気用温度センサ２４は例えば冷却装置（送風ファン）２１に取付けられ、外気温を検出してＣＰＵ１１に出力する。表示パネル２５は例えば液晶パネル又はＬＥＤパネルから構成され、ランプ２０の状態（点灯状態、待機状態、点灯可能状態）、再起動までの起動可能時間（待機時間）等を表示する。なお、ＣＰＵ１１は本発明の演算手段に相当し、ランプ用温度センサ２３は第１の温度検出手段に相当し、外気用温度センサ２４は第２の温度検出手段、表示パネル２５は表示手段に相当する。
【００１３】
プロジェクター１０のＣＰＵ１１はＲＯＭ１２に格納されたプログラムに従って各種の演算処理を行うものであり、ＡＤＣ１３、画像処理回路１４、及び、電源部１８及びバラスト１９をそれぞれ制御する。ＣＰＵ１１は、その演算処理の１つとしてタイマ１１ａの機能を備えており、また、内蔵するレジスタ（本発明の記憶手段）による点灯フラグ１１ｂを備えている。ＡＤＣ１３は例えばＰＣ（パソコン）１から映像信号（アナログＲＧＢ信号）を入力すると、それをデジタル信号に変換して画像処理回路１４に出力する。画像処理回路１４は入力した映像信号を内蔵するメモリ（図示せず）に一旦保存し、例えばフリーズ（ＦＲＥＥＺＥ）、ミュート（ＭＵＴＥ）、ズーム（ＺＯＯＭ）、エフェクト（ＥＦＦＥＣＴ）、台形補正、リサイズ（ＲＥＳＩＺＥ）、ガンマ（γ）補正、色むら補正等の各種の処理を適宜行う。そして、画像処理回路１４で処理された映像信号はフレームメモリとして機能するメモリ１５に格納され、更に読み出されてＬＣＤ駆動回路１６に出力される。ＬＣＤ駆動回路１６はメモリ１５から読み出されたフレーム画像をＬＣＤ（液晶）パネル１７に描画する。
【００１４】
また、プロジェクター１０の電源部１８は交流電源をバラスト１９に供給し、バラスト１９は交流電圧を直流電圧に変換した後に高周波電流を生成してランプ２０に供給する。ランプ２０は高周波電流が供給されると点灯し、光学系（図示せず）を介してＬＣＤ（液晶）パネル１７に照射し、ＬＣＤ（液晶）パネル１７に描画された画像が投射レンズ等の光学系（図示せず）により拡大されてスクリーン３０に投射される。このとき、ランプ２０は冷却装置２１からの送風により冷却される。
【００１５】
上記のようにスクリーン３０に画像が表示されている状態で、例えば使用者がＩ／Ｏボタン２２の内例えば電源スイッチを操作してオフ状態にすると、ＣＰＵ１１はその操作信号を取り込んで例えばバラスト１９をオフ状態にする。これによりランプ２０は消灯する。ＣＰＵ１１はこの状態で、ランプ用温度センサ２３及び外気用温度センサ２４の出力を取り込んで、ランプ２０の温度と外気温とからランプ２０が所定の温度（再点灯可能温度）に低下するまでの時間を起動可能時間として求める。ここで、ランプ２０の温度は次式により求められる。
【００１６】
Ｔ（ｔ）＝Ｔe＋（Ｔ0−Ｔe）ｅ-βt         …（１）
但し、Ｔ0はランプ用温度センサ２３により検出されたランプ２０の初期温度、Ｔeは外気用温度センサ２４により検出された外気温、βは係数であり、Ｔ（ｔ）はｔ時間後のランプ２０の温度である。したがって、上式によりランプ２０の温度が所定の温度（再点灯可能温度）に低下するまでの時間を求めることができる。なお、上記の（１）式においては、冷却装置２１の能力によって係数βの値が変わることになるが、ここでは冷却装置２１が所定の条件で駆動されるものとして係数βを決めておくものとする。
【００１７】
図２はランプを消灯した後の温度の推移を示した特性図である。ランプ用温度センサ２３の出力が同じでも、外気温（Ｔe1、Ｔe2、Ｔe3）により温度の低下割合が異なり、起動可能時間も異なったものになる（ｔ1，ｔ2，ｔ3）。
【００１８】
図３は図２の特性をテーブル化したものであり、各升目にはランプ温度（Ｔ01、Ｔ02、Ｔ03）と外気温（Ｔe1、Ｔe2、Ｔe3）とに対応した起動可能時間が格納されている。なお、図３のテーブルにおいて、ランプ温度が例えばＴ01とＴ02との間にある場合や、外気温がＴe1とＴe2との間にある場合は何れか近い方の値を採用したり或いは補間処理をすることにより起動可能時間を求める。なお、この図３のテーブルはＲＯＭ１２に予め書き込んでおくものとする。
【００１９】
図４は図１のプロジェクター１０の電源スイッチをオフ状態にした時の処理過程を示したフローチャートである。ＣＰＵ１１は、電源スイッチがオフになると、表示パネル２５の表示を点灯状態から待機状態に変更する。そして、ランプ用温度センサ２３の出力を取り込むとともに（Ｓ１１）、外気用温度センサ２４の出力を取り込む（Ｓ１２）。ＣＰＵ１１は、ＲＯＭ１２に書き込まれた図３のテーブルに基づいてランプ２０の温度が所定の温度（再点灯可能温度）に低下するまでの時間即ち起動可能時間を推定する（Ｓ１３）。そして、ＣＰＵ１１はその起動可能時間をタイマ１１ａにセットし（Ｓ１４）、そのタイマ１１ａにセットされている起動可能時間を数値にて表示パネル２５に表示させる（Ｓ１５）。そして、所定時間Δｔが経過すると、タイマ１１ａのセットされている時間をΔｔだけ減少させる（Ｓ１６）。ＣＰＵ１１はタイマ１１ａの起動可能時間がゼロになったかどうかを判定し（Ｓ１７）、ゼロになっていなければ上記の処理（Ｓ１５）及び（Ｓ１６）を繰り返す。即ち、表示パネル２５には待機状態として起動可能時間が表示され、しかも時間の経過とともに起動可能時間が減少した状態で表示パネル２５に表示されることになる。ＣＰＵ１１はタイマ１１ａの起動可能時間がゼロになると、点灯フラグ１１ｂをセットするとともに、表示パネル２５に点灯が可能であること（点灯可能状態）を表示させる（Ｓ１９）。このような状態で、使用者がＩ／Ｏボタン２２の電源スイッチをオン操作すると、ＣＰＵ１１はその操作信号を取り込んだ後に、点灯フラグ１１ｂを参照し、セットされていると、バラスト１９を駆動してランプ２０を点灯動作させる。なお、点灯フラグ１１ｂのセットは、ランプ用温度センサ２３の出力が所定温度になったことを確認してから行うようにしてもよい。また、冷却装置２１は上記の再起動可能時間がゼロになるまで駆動されてランプ２０を冷却する。
【００２０】
以上のように本実施形態１においては、表示パネル２５に再起動までの起動可能時間（待機時間）が明示され、このため、起動可能時間が経過する前に電源スイッチを押してしまったり、或いはランプが点灯しないことで機器が壊れてしまっていると思ってしまうような事態が避けられる。
【００２１】
また、ＣＰＵ１１は、電源スイッチによってランプ２０が消灯した時に、ランプ用温度センサ２３の出力及び外気用温度センサ２４の出力に基づいてランプ２０の温度が所定の温度に低下するまでの時間を起動可能時間として求め、更に、時間の経過に従ってタイマ１１ａの起動可能時間を減少させてそれを表示パネル２５に表示させるようにしており、このため、消灯した後の時点でも起動可能時間を時々刻々把握することができる。更に、ＣＰＵ１１は、テーブル（図３参照）を参照してランプ２０の温度が所定の温度に低下するまでの時間を求めており、ＣＰＵ１１による演算処理が簡単なものとなっている。
【００２２】
また、本実施形態１ではランプ２０を冷却する冷却装置２１を備えており、ＣＰＵ１１は冷却装置２１の冷却能力を考慮して起動可能時間を求めるようにしており、冷却装置２１がランプ２０を冷却するのでランプ２０の冷却効率が良く、それによってよランプの温度が所定の温度に下がるまでの時間が短くなるが、ＣＰＵ１１がその点を考慮して起動可能時間を求めるので、表示パネル２５に表示される起動可能時間が実際の待機時間に対応したものとなる。
また、ＣＰＵ１１はランプ２０の点灯状態、待機状態及び点灯可能状態を表示パネル２５に表示させており、特に待機状態において起動可能時間を表示させており、ランプの状態（ランプステータス）が表示されるので、使用者にとって使い勝手の良いものとなっている。
更に、ＣＰＵ１１は、起動可能時間がゼロになると点灯フラグ１１ｂをセットし、点灯フラグ１１ｂがセットされた状態で電源スイッチが投入されると、バラスト１９を制御してランプ２０を点灯させるようにしており、起動可能時間の表示とランプ２０の点灯のための処理とが連動しており、使い勝手のよいものとなっている。
【００２３】
実施形態２．
なお、上記の実施形態１においては起動可能時間を表示パネル２５に数値により表示する例について説明したが、本発明はそれに限定されるものではなく、例えば表示手段として複数個の発光ダイオードを用意し、発光ダイオード１個当たりの起動可能時間を決めておいて、起動可能時間に応じた個数の発光ダイオードを点灯して起動可能時間を使用者に明示するようにしてもよい。また、ＣＰＵ１１は、テーブル（図４参照）を参照してランプ２０が所定の温度に低下するまでの時間を求める例について説明したが、上記の（１）式により起動可能時間をその都度求めるようにしてもよいことは言うまでもない。また、外気用温度センサ２４を冷却装置２１に取り付けた例について説明したが、外気温を検出できる箇所であれば他の部位であってもよい。
【図面の簡単な説明】
【００２４】
【図１】本発明の実施形態１に係るプロジェクターの構成を示したブロック図である。
【図２】ランプを消灯した後の温度の推移を示した特性図である。
【図３】図２の特性をテーブル化した図である。
【図４】電源スイッチをオフ状態にした時の処理過程を示したフローチャートである。
【符号の説明】
【００２５】
１０ プロジェクター、１１ａ タイマ、１１ｂ 点灯フラグ、１４ 画像処理回路、１５ メモリ、１６ ＬＣＤ駆動回路、１７ ＬＣＤパネル、１８ 電源部、１９ バラスト、２０ ランプ、２１ 冷却装置、２２ Ｉ／Ｏボタン、２３ ランプ用温度センサ、２４ 外気用温度センサ、２５ 表示パネル、３０ スクリーン。
【図１】
2007264257.tif 000003
【図２】
2007264257.tif 000004
【図３】
2007264257.tif 000005
【図４】
2007264257.tif 000006